(57)【要約】【課題】  縦向きのＰＣ鋼棒をナット定着させる構造において、定着部におけるグラウトの充填性を向上させる。【解決手段】  コンクリート構造体２１ｂのＰＣ緊張材定着部において、ＰＣ鋼棒２２ｂに嵌め合わせた定着ナット２５、その定着ナット２５と支圧板２４との間に介在させた座金２６ａ又は支圧板２４表面に、それらの支圧板貫通孔から定着ナット外周部分を連通するグラウト流路ａを設け、そのグラウト流路ａを通して支圧板２４の貫通孔２７と定着ナット２５外との間をグラウトが流れるようにする。【選択図】    図１
2006214078.tif 000002
【特許請求の範囲】
【請求項１】
コンクリート構造体のＰＣ緊張材定着部に備えた支圧板と、支圧板の表裏に連通開口させた貫通孔と連続した配置に前記コンクリート構造体内に縦向きに形成したＰＣ鋼棒挿通孔と、該ＰＣ鋼棒挿通孔に挿通されて前記支圧板の貫通孔を通して定着端部が突出されたＰＣ鋼棒と、該ＰＣ鋼棒の定着端部外周に螺合され、前記支圧板に緊張状態のＰＣ鋼棒の端部を定着させる定着ナットとを備えてなる縦向きＰＣ鋼棒のナット定着部構造において、
前記定着ナットと支圧板との間に、ＰＣ鋼棒外に嵌め合わせた座金を介在させ、該座金に、その外周部分から内周面に到るグラウト流路を設け、該座金のグラウト流路を通して前記支圧板の貫通孔と定着ナット外との間をグラウトが流れるようにしたことを特徴としてなるグラウト充填性を改良した縦向きＰＣ鋼棒のナット定着部構造。
【請求項２】
グラウト流路が、一部を切り欠いてＣ型リング状に形成された座金の切り離し部をもって構成されている請求項１に記載のグラウト充填性を改良した縦向きＰＣ鋼棒のナット定着部構造。
【請求項３】
グラウト流路が、前記座金の表裏両面の一方又は両方の面にその外周側から内周側に連通させた凹溝をもって構成されているグラウト充填性を改良した縦向きＰＣ鋼棒のナット定着部構造。
【請求項４】
グラウト流路を構成する凹溝を座金の中心部から外周側に向けた放射状配置に複数備えてなる請求項３に記載のグラウト充填性を改良した縦向きＰＣ鋼棒のナット定着部構造。
【請求項５】
コンクリート構造体のＰＣ緊張材定着部に備えた支圧板と、支圧板の表裏に連通開口させた貫通孔と連続した配置に前記コンクリート構造体内に縦向きに形成したＰＣ鋼棒挿通孔と、該ＰＣ鋼棒挿通孔に挿通されて前記支圧板の貫通孔を通して定着端部が突出されたＰＣ鋼棒と、該ＰＣ鋼棒の定着端部外周に螺合され、前記支圧板に緊張状態のＰＣ鋼棒の端部を定着させる定着ナットとを備えてなる縦向きＰＣ鋼棒のナット定着部構造において、
前記定着ナットに、その外周から支圧板側端面内周に到るグラウト流路を設け、該定着ナットのグラウト流路を通して前記支圧板の貫通孔と定着ナット外との間をグラウトが流れるようにしたことを特徴としてなるグラウト充填性を改良した縦向きＰＣ鋼棒のナット定着部構造。
【請求項６】
グラウト流路を、前記ナットの支圧板側端面に、その外周側から内周に到る凹溝をもって構成されている請求項５に記載のグラウト充填性を改良した縦向きＰＣ鋼棒のナット定着部構造。
【請求項７】
グラウト流路を構成する凹溝をナット端面の中心部から外周側に向けた放射状配置に複数備えてなる請求項６に記載のグラウト充填性を改良した縦向きＰＣ鋼棒のナット定着部構造。
【請求項８】
グラウト流路を、前記ナットの内周面に、該ナットの定着版側端面からその反対側端面に連通させて形成した縦向きの凹溝をもって構成されている請求項５に記載のグラウト充填性を改良した縦向きＰＣ鋼棒のナット定着部構造。
【請求項９】
コンクリート構造体のＰＣ緊張材定着部に備えた支圧板と、支圧板の表裏に連通開口させた貫通孔と連続した配置に前記コンクリート構造体内に縦向きに形成したＰＣ鋼棒挿通孔と、該ＰＣ鋼棒挿通孔に挿通されて前記支圧板の貫通孔を通して定着端部が突出されたＰＣ鋼棒と、該ＰＣ鋼棒の定着端部外周に螺合され、前記支圧板に緊張状態のＰＣ鋼棒の端部を定着させる定着ナットとを備えてなる縦向きＰＣ鋼棒のナット定着部構造において、
前記支圧板の表面に、該支圧板の貫通孔に一端が連通し、他端が前記定着ナット外の空間部に連通した凹溝からなるグラウト流路を設け、該グラウト流路を通して前記支圧板の貫通孔と定着ナット外との間をグラウトが流れるようにしたことを特徴としてなるグラウト充填性を改良した縦向きＰＣ鋼棒のナット定着部構造。
【請求項１０】
支圧板表面のグラウト流路を該支圧板の貫通孔を中心にして放射状配置に複数備えてなる請求項９に記載のグラウト充填性を改良した縦向きＰＣ鋼棒のナット定着部構造。
【発明の詳細な説明】
【技術分野】
【０００１】
本発明は、場所打ちのコンクリート構造体又はプレキャストコンクリート構造体に縦向きにＰＣ鋼棒を挿通し、これを緊張して前記コンクリート構造体にプレストレスを付与する場合、或いは上下配置の場所打ち又はプレキャストのコンクリート構造体をＰＣ鋼棒によって一体化させる場合等に使用する縦向きのＰＣ鋼棒端部の定着部において、支圧板のＰＣ鋼棒挿通孔及び支圧底面板下へのグラウトの充填性を向上させるグラウト充填性を改良した縦向きＰＣ鋼棒のナット定着部構造に関する。
【背景技術】
【０００２】
従来、例えばプレキャストコンクリート柱等の縦向きのコンクリート構造体に対して長手方向にプレストレスを付与するとともに上下のコンクリート構造体を一体化させる場合のＰＣ鋼棒定着部構造としては、図１８に示す如き構造のものが一般的であった。
【０００３】
即ち、コンクリート構造体１内に、上下に貫通開口したＰＣ鋼棒挿通孔２を、例えばシースを埋め込むことにより形成すると共に、その上下の両端に、中央部分に貫通孔３を開けた支圧板４，４を設置し、その支圧板４，４の貫通孔３，３を通してＰＣ鋼棒挿通孔２内にＰＣ鋼棒５挿通して緊張し、該ＰＣ鋼棒５の両端の定着端部に螺合させた定着ナット６，６を支圧板４，４に支持させて定着させることによりプレストレスを付与する。
【０００４】
然る後、下側のコンクリート構造体１内のＰＣ鋼棒５の上端に上側のコンクリート構造体1内のＰＣ鋼棒５を、カプラー７を介して連結させ、その連結部をＰＣ鋼棒挿通孔２より径の大きいカプラーシースからなる拡径孔８内に位置させる。
【０００５】
このようにしてプレストレスを付与した後、ＰＣ鋼棒５の防錆のため、又は防錆を図ると共にＰＣ鋼棒５とコンクリート構造体1とを一体化させるために、ＰＣ鋼棒挿通孔２内にグラウト９を充填している。
【０００６】
このグラウト９の充填は、ＰＣ鋼棒挿通孔２の下部に、コンクリート構造体１の外部に通じるグラウト注入孔１０を連通開口させておくと共に、上部に同様のグラウト排出孔１１を連通開口させておき、下側のグラウト注入孔１０よりグラウトをグラウト圧入機１２によって加圧注入することによりＰＣ鋼棒挿通孔２の下側より上側に順次グラウトを充填させ、グラウト排出孔１１からグラウトが吐出されることによって充填を終了させるようにしていた。
【０００７】
しかし、このようなグラウト充填方法では、上側のグラウト排出孔１１より高い位置にはグラウトが充填されず、未充填空隙が残るという欠点がある。そこで、この欠点を減少させる方法として、図１９に示すように上側の支圧板４の貫通孔３ａを下側が拡開したテーパー状とし、このテーパー面と支圧板上面にグラウト排出孔１３を貫通開口させた構造のものが開発されている（例えば特許文献１）。
【０００８】
この場合、図１９に示すように上下にコンクリート構造体１，１を連結する部分に使用する際は、拡径孔８の内側にグラウト排出孔１３を開口させ、これより排出されるグラウトが拡径孔８内に充填されるようにしている。尚、図１８に示す従来技術と同一不部分には同一符号を付して重複説明を省略する。
【特許文献１】特開２００３−３３６３９９
【発明の開示】
【発明が解決しようとする課題】
【０００９】
上述した図１６に示すような支圧板４にグラウト排出孔１２を貫通開口させる定着部の構造においても、支圧板の貫通孔３ａ内のグラウト排出孔開口部より高い位置にはグラウトが充填されにくく、グラウトの充填されない空隙が残る可能性があり、また、グラウト排出孔１２の支圧板表面側開口は、コンクリート構造体１，１の定着ナット６の外周より外側に位置させる必要があるため、上下のコンクリート構造体１，１を連結した後、その上下のＰＣ鋼棒挿通孔２，２に連続させてグラウト注入を行う場合、即ち、1回のグラウト注入作業長さの中間位置にカプラーが存在するような場合には、これを収容する拡径孔８の径が大きくならざるを得ず、設計上の断面欠損が大きくなるという問題があった。
【００１０】
本発明はこのような従来の問題に鑑み、ＰＣ鋼棒のナット定着構造において、支圧板の貫通孔内部へのグラウト充填が完全に行われ、しかも、その定着部をカプラーシースなどによる拡径孔部内に収容する場合においても、拡径孔の径を、定着ナットやカプラーを収容するために必要な最小限の大きさにできる縦向きＰＣ鋼棒のナット定着部構造の提供を目的としてなされたものである。
【課題を解決するための手段】
【００１１】
上述の如き従来の問題を解決し、所期の目的を達成するための請求項１に記載された発明の特徴は、コンクリート構造体のＰＣ緊張材定着部に備えた支圧板と、支圧板の表裏に連通開口させた貫通孔と連続した配置に前記コンクリート構造体内に縦向きに形成したＰＣ鋼棒挿通孔と、該ＰＣ鋼棒挿通孔に挿通されて前記支圧板の貫通孔を通して定着端部が突出されたＰＣ鋼棒と、該ＰＣ鋼棒の定着端部外周に螺合され、前記支圧板に緊張状態のＰＣ鋼棒の端部を定着させる定着ナットとを備えてなる縦向きＰＣ鋼棒のナット定着部構造において、前記定着ナットと支圧板との間に、ＰＣ鋼棒外に嵌め合わせた座金を介在させ、該座金に、その外周部分から内周面に到るグラウト流路を設け、該座金のグラウト流路を通して前記支圧板の貫通孔と定着ナット外との間をグラウトが流れるようにしたことにある。
【００１２】
請求項２に記載の発明の特徴は、前記請求項１の構成に加え、グラウト流路が、一部を切り欠いてＣ型リング状に形成された座金の切り離し部をもって構成されていることにある。
【００１３】
請求項３に記載の発明の特徴は、前記請求項１の構成に加え、グラウト流路が、前記座金の表裏両面の一方又は両方の面にその外周側から内周側に連通させた凹溝をもって構成されていることにある。
【００１４】
請求項４に記載の発明の特徴は、前記請求項３の構成に加え、グラウト流路を構成する凹溝を座金の中心部から外周側に向けた放射状配置に複数備えたことにある。
【００１５】
請求項５に記載の発明の特徴は、コンクリート構造体のＰＣ緊張材定着部に備えた支圧板と、支圧板の表裏に連通開口させた貫通孔と連続した配置に前記コンクリート構造体内に縦向きに形成したＰＣ鋼棒挿通孔と、該ＰＣ鋼棒挿通孔に挿通されて前記支圧板の貫通孔を通して定着端部が突出されたＰＣ鋼棒と、該ＰＣ鋼棒の定着端部外周に螺合され、前記支圧板に緊張状態のＰＣ鋼棒の端部を定着させる定着ナットとを備えてなる縦向きＰＣ鋼棒のナット定着部構造において、前記定着ナットに、その外周から支圧板側端面内周に到るグラウト流路を設け、該定着ナットのグラウト流路を通して前記支圧板の貫通孔と定着ナット外との間をグラウトが流れるようにしたことにある。
【００１６】
請求項６に記載の発明の特徴は、前記請求項５の構成に加え、グラウト流路を、前記ナットの支圧板側端面に、その外周側から内周に到る凹溝をもって構成されていることにある。
【００１７】
請求項７に記載の発明の特徴は、前記請求項６の構成に加え、グラウト流路を構成する凹溝をナット端面の中心部から外周側に向けた放射状配置に複数備えたことにある。
【００１８】
請求項８に記載の発明の特徴は、前記請求項５の構成に加え、グラウト流路を、前記ナットの内周面に、該ナットの定着版側端面からその反対側端面に連通させて形成した縦向きの凹溝をもって構成されていることにある。
【００１９】
請求項９に記載の発明の特徴は、コンクリート構造体のＰＣ緊張材定着部に備えた支圧板と、支圧板の表裏に連通開口させた貫通孔と連続した配置に前記コンクリート構造体内に縦向きに形成したＰＣ鋼棒挿通孔と、該ＰＣ鋼棒挿通孔に挿通されて前記支圧板の貫通孔を通して定着端部が突出されたＰＣ鋼棒と、該ＰＣ鋼棒の定着端部外周に螺合され、前記支圧板に緊張状態のＰＣ鋼棒の端部を定着させる定着ナットとを備えてなる縦向きＰＣ鋼棒のナット定着部構造において、前記支圧板の表面に、該支圧板の貫通孔に一端が連通し、他端が前記定着ナット外の空間部に連通した凹溝からなるグラウト流路を設け、該グラウト流路を通して前記支圧板の貫通孔と定着ナット外との間をグラウトが流れるようにしたことにある。
【００２０】
請求項１０に記載の発明の特徴は、前記請求項９の構成に加え、支圧板表面のグラウト流路を該支圧板の貫通孔を中心にして放射状配置に複数備えたことにある。
【発明の効果】
【００２１】
本発明においては、コンクリート構造体のＰＣ緊張材定着部に備えた支圧板と、支圧板の表裏に連通開口させた貫通孔と連続した配置に前記コンクリート構造体内に縦向きに形成したＰＣ鋼棒挿通孔と、該ＰＣ鋼棒挿通孔に挿通されて前記支圧板の貫通孔を通して定着端部が突出されたＰＣ鋼棒と、該ＰＣ鋼棒の定着端部外周に螺合され、前記支圧板に緊張状態のＰＣ鋼棒の端部を定着させる定着ナットとを備えてなる縦向きＰＣ鋼棒のナット定着部構造において、前記定着ナット、該ナットと支圧板との間に介在させた座金又は支圧板表面にグラウト流路を設け、該グラウト流路を通して前記支圧板の貫通孔と定着ナット外との間をグラウトが流れるようにしたことにより、ＰＣ鋼棒挿通孔にグラウトを充填させる際に、下側から充填されてきたグラウトが、支圧板の貫通孔に完全に充填された後に、前記ナット又は座金のグラウト流路から排出されることとなり、ナット又は座金の裏面（下側面）まで完全なグラウト充填がなされる。
【００２２】
また、従来のように拡径孔内にカプラーを収容する場合においても、その拡径孔の径は、ナット及びカプラーを収容するために必要な大きさであればよく、グラウト流路が存在するために特別に径を大きくする必要がなく、コンクリート構造体の設計に余裕を持たせることができる。
【００２３】
また、上記座金にグラウト流路を設ける場合において、リング状の一部を切り欠いてＣ型リング状に形成された座金の切り離し部をもって構成させることにより、グラウト流路の形成が容易となる。
【００２４】
更に、上記座金にグラウト流路を設ける場合において、座金の表裏両面の一方又は両方の面にその外周側から内周側に連通させた凹溝をもって構成させることにより、多数のグラウト流路を設けることができ、流量を大きくすることができる。
【００２５】
更に、上記ナットにグラウト流路を設ける場合において、該ナットの支圧板側端面に、その外周側から内周に到る凹溝をもって構成させることにより、ナットの端面形状を変形させるのみでグラウト流路が形成されその製造が容易である。また、多数のグラウト流路を設けることができ、流量を大きくすることができる。
【００２６】
また、ナットにグラウト流路を設ける場合において、ナットの内周面に、該ナットの定着版側端面からその反対側端面に連通させて形成した縦向きの凹溝をもって構成させることにより、ナットのねじ山間の隙間にもグラウトの充填が可能となる。
【００２７】
更に、上記座金、ナット及び支圧板表面に凹溝からなるグラウト流路を、放射状配置に複数備えることによって、グラウトの流れを支圧板の貫通孔内全域に均一に行き渡らせることが可能となる。
【発明を実施するための最良の形態】
【００２８】
次に本発明の実施の形態を図面に示した実施例に基づいて説明する。
【００２９】
図１〜図４は本発明の第１実施例を示している。図において２１ａ，２１ｂは上下に接合される縦向きのコンクリート構造体である。この両コンクリート構造体２１ａ，２１ｂそれぞれＰＣ鋼棒２２ａ，２２ｂによってプレストレスが付与され、両ＰＣ鋼棒２２ａ，２２ｂをカプラー２３によって連結して上側のＰＣ鋼棒２１ａを緊張することによって上下のコンクリート構造体２１ａ，２１ｂを一体化させている。
【００３０】
下側のコンクリート構造体２１ｂ内に挿通したＰＣ鋼棒２２ｂの上端部は、そのコンクリート構造体２１ｂの上端面に埋設した支圧板２４に対し、定着ナット２５によって緊張状態で定着されている。定着ナット２５はＰＣ鋼棒２２ｂの端部外周に形成されたねじに螺合されており、この定着ナット２５と支圧板２４間に座金２６ａが介在されている。
【００３１】
支圧板２４の下面側には貫通孔２７に連通させてＰＣ鋼棒挿通孔２８ｂが形成され、その内部にＰＣ鋼棒２２ｂが挿通されている。ＰＣ鋼棒挿通孔２８ｂは図には詳示してないが、螺旋巻管等のシースをコンクリート構造体２１ｂ内に埋め込むことによって構成されている。
【００３２】
また、ＰＣ鋼棒２２ｂの下端は、コンクリート構造体２１ｂの下端部に埋設された支圧板２９に貫通され、定着ナット３１によって支圧板２９に支持（定着）されている。ＰＣ鋼棒挿通孔２８ｂには、その下端部にコンクリート構造体２１ｂ外に通じるグラウト注入路３２が連通されている。
【００３３】
上側のコンクリート構造体２１ａには、下端部にカプラーシースによる拡径孔３３が形成され、その内部に定着ナット２５及びカプラー２３が収容されている。この拡径孔３３に連続させてＰＣ鋼棒挿通孔２８ａが形成されている。このＰＣ鋼棒挿通孔２８ａも前述と同様に螺旋巻管等によるシースを埋め込むことによって構成されている。また、拡径孔３３にはコンクリート構造体２１ａ外に通じるグラウト注入路３４が連通されている。
【００３４】
下側のコンクリート構造体１ｂの上端の定着ナット２５と支圧板２４との間の座金２６ａは、図２、図３に示すように、円形をしたリング状の一部を切り欠いて切り離した状態の切り離し部を有するＣ字型をしており、この切り離し部がグラウト流路ａとなるように、座金外周部と支圧板の貫通孔２７との間を切り離し部の空間によって連通させている。
【００３５】
このように構成されるＰＣ鋼棒のナット定着部構造では、ＰＣ鋼棒２１ｂを緊張してナットによる端部の定着を行った後のグラウト充填作業に際し、ＰＣ鋼棒挿通孔２８ｂの下側に連通させたグラウト注入路３２よりグラウト圧入機３５をもって加圧注入することにより、ＰＣ鋼棒挿通孔２８ｂの下端部より順次上端側にグラウトの注入がなされ、上端部の支圧板２４の貫通孔２７内に充填された後グラウト流路ａから余剰分が排出されることとなり、座金直下の空隙が完全にグラウト充填されることとなる。
【００３６】
上述の実施例では、座金をＣ字型に成形してグラウト流路を形成しているが、図５〜図７に示す座金２６ｂのように、切り離し部を有しない全部が連続したリング状をなす座金の片面に中心側の開口縁部から外周縁に連続させた複数の凹溝を形成し、これをグラウト流路ｂとしてもよい。これによって支圧板の貫通孔２７と座金２６ｂの外周が凹溝内の空隙によって連通されたグラウト流路ｂが構成され、前述と同様にグラウトの完全充填がなされる。
【００３７】
尚、この場合グラウト流路ｂを座金２６ｂの中央を中心にした放射状の配置に複数設けることにより、余剰グラウトの排出が座金下面の全域に均一な状態でなされるとともに、グラウト流路ｂの総開口面積を大きくでき、スムーズで均一なグラウト充填が可能となる。また、このグラウト流路ｂは座金の上面又は下面の一方に設けてもよく、両面に設けてもよい。
【００３８】
上述の各実施例は、座金にグラウト流路を形成した場合を示しているが、定着ナットにグラウト流路を形成してもよく、この場合には図８〜図１０に示すように、定着ナット２５ａの支圧板側端面にその中心部開口縁から外周縁に至る凹溝を形成し、これをグラウト流路ｃとする。また、座金２６はその中心開口をＰＣ鋼棒２２ｂの外径よりやや大きくしてＰＣ鋼棒との間をグラウトがスムーズに流れることができる隙間が形成されるようにする。
【００３９】
このように構成することにより、前述と同様に定着ナットに設けたグラウト流路ｃをグラウト排出路として下側から注入したグラウトの余剰分が排出されることとなり、完全なグラウト注入がなされる。
【００４０】
また、このグラウト流路を図９に示すようにナットの中心部開口を中心にした放射状に複数配置することにより、グラウト流路の総開口面積が大きくなるとともに、より均一なグラウト充填状態が得られる。
【００４１】
更に、定着ナットにグラウト流路を設ける場合、端面ではなく、図１１〜図１３に示すように定着ナット２５ｂの内周面に設けてもよく、この場合、定着ナット２５の軸方向の両端間に連続した縦向きの凹溝を形成し、これをグラウト流路ｄとするものである。尚、このグラウト流路ｄは、ナット内周面のねじ溝３６より深く形成し、ＰＣ鋼棒に螺合させた際にナット両端に直線配置に連続した形状のグラウト流路ｄを形成させる。
【００４２】
また、グラウト流路ｄをナット内周面に間隔をあけて複数設けることにより、前述と同様に、総開口面積を大きくし、充填性を良好なものとすることができる。
【００４３】
また、本発明は上述の各実施例の他、支圧板表面にグラウト流路を形成してもよく、この場合には図１４〜図１６に示すように、支圧板３７の表面、即ち定着ナット２５側の面に、貫通孔２７の縁部から、座金２６の外周縁外に至る凹溝を形成し、これをグラウト流路ｅとする。
【００４４】
このように構成することにより、座金２６によって凹溝の支圧板表面側解放部が閉鎖されるが、その凹溝により構成されるグラウト流路ｅは座金外周と貫通孔２７の上縁部内とを連通させることとなり、このグラウト流路ｅが定着ナット外に通じたグラウト排出路ととなり、下側から注入したグラウトの余剰分が排出され、完全なグラウト注入がなされる。
【００４５】
また、このグラウト流路ｅを、図１５に示すように貫通孔２７を中心にした放射状に複数配置することにより、グラウト流路の総開口面積が大きくなるとともに、より均一なグラウト充填状態が得られる。
【００４６】
尚、この実施例ではナット定着に際して座金２６を使用しない場合は、定着ナット２５の外周より外側に至る長さの凹溝を形成すればよい。
【００４７】
上述した実施例は、何れも上下にコンクリート構造体２１ａ，２１ｂを連接させた接合部分について述べているが、この他、図１７に示すように、単体の縦向きコンクリート構造体２１にプレストレスを付与する場合のＰＣ鋼棒のねじ定着構造に実施してもよい。尚、図１４において、前述した実施例と同じ部分には同一符号を付して重複説明を省略する。
【００４８】
また、上述の各実施例は、座金、定着ナット又は支圧板のいずれかにグラウト流路ａ〜ｅを設けた場合を示しているが、この他、一の定着部において、前述した座金、定着ナット及び支圧板の内の複数にグラウト流路ａ〜ｅを設けても良い。
【図面の簡単な説明】
【００４９】
【図１】本発明に係るナット定着部構造を使用してプレストレスを付与したコンクリート構造体に対するグラウト注入状態を示す縦断面図である。
【図２】図１に示す定着部構造に使用している座金の一例を示す平面図である。
【図３】同上の縦断面図である。
【図４】図1に示すナット定着部構造の拡大断面図である。
【図５】図1に示すナット定着部構造に使用する座金の他の例の底面図である。
【図６】同縦断面図である。
【図７】同上の座金を使用した本発明に係るナット定着部構造の拡大断面図である。
【図８】本発明のナット定着部構造に使用する定着ナットの一例を示す正面図である。
【図９】同底面図である。
【図１０】同上の定着ナットを使用した本発明に係るナット定着部構造の拡大断面図である。
【図１１】本発明のナット定着部構造に使用する定着ナットの他の例を示す正面図である。
【図１２】同底面図である。
【図１３】同上の定着ナットを使用した本発明に係るナット定着部構造の拡大断面図である。
【図１４】本発明のナット定着部構造に使用する支圧板の一例を示す平面図である。
【図１５】同縦断面図である。
【図１６】同上の支圧板を使用した本発明に係るナット定着部構造の拡大断面図である。
【図１７】本発明の更に他の実施例を示す縦断面図である。
【図１８】従来のナット定着部構造を使用してプレストレスを付与したコンクリート構造体の一例の縦断面図である。
【図１９】同他の例の縦断面図である。
【符号の説明】
【００５０】
ａ〜ｅ  グラウト流路
２１，２１ａ，２１ｂ  コンクリート構造体
２２ａ，２２ｂ  ＰＣ鋼棒
２３  カプラー
２４  支圧板
２５  ２５ａ,２５ｂ  定着ナット
２６，２６ａ，２６ｂ  座金
２７  貫通孔
２８ａ，２８ｂ  ＰＣ鋼棒挿通孔
２９  支圧板
３１  定着ナット
３２  グラウト注入路
３３  拡径孔
３４  グラウト注入路
３５  グラウト圧入機
３６  ねじ溝
３７  支圧板
【図１】
2006214078.tif 000003
【図２】
2006214078.tif 000004
【図３】
2006214078.tif 000005
【図４】
2006214078.tif 000006
【図５】
2006214078.tif 000007
【図６】
2006214078.tif 000008
【図７】
2006214078.tif 000009
【図８】
2006214078.tif 000010
【図９】
2006214078.tif 000011
【図１０】
2006214078.tif 000012
【図１１】
2006214078.tif 000013
【図１２】
2006214078.tif 000014
【図１３】
2006214078.tif 000015
【図１４】
2006214078.tif 000016
【図１５】
2006214078.tif 000017
【図１６】
2006214078.tif 000018
【図１７】
2006214078.tif 000019
【図１８】
2006214078.tif 000020
【図１９】
2006214078.tif 000021